(57)【要約】      （修正有）【課題】携帯に便利で、ファッション性や遊び心を持たせ、交通事故等の災害から身を守る用具としても有効な点灯点滅表示機能付携帯用日用品を提供する。【解決手段】電池搭載により電源供給を受ける発光素子の採用と、発光素子に点灯点滅を行わせて視認の容易性を利用する、視覚官能報知方式へ変更した。更に、必要に応じ好みの発色、あるいは点灯点滅形態を容易に変えられるようにし、ファッション性や遊び心を持たせられるようにしてある。【選択図】図１
0003106946.tif 000002
【実用新案登録請求の範囲】
【請求項１】
スイッチの切替え操作により、発光素子を点灯点滅させ表示を行わせる。この原理を利用したことを特徴とした、携帯用日用品の雨傘であって、電源スイッチ部と、コントロール部と、電池部と、カバーケース部と、点灯点滅表示部とから構成されている。
電源スイッチ部と、コントロール部と、電池部を当該用品の雨傘内部に組込み、あるいはシート状とし取付け、点灯点滅表示部を当該用品の雨傘鉄梁の先端部、またはツユサキ部、あるいは防雨布部等任意の場所に配置する。電源スイッチ部の操作により発光素子に点灯点滅を行わせることにより、当該用品が使用中であることを、視覚により報知させるようにした携帯用日用品の雨傘。
【請求項２】
スイッチの切替え操作により、発光素子を点灯点滅させ表示を行わせる。この原理を利用したことを特徴とした、携帯用日用品の歩行用補助杖であって、電源スイッチと、コントロール部と、電池部と、カバーケース部と、点灯点滅表示部とから構成されている。電源スイッチ部と、コントロール部と、電池部を当該用品の歩行用補助杖内部に組込み、あるいはシート状とし取付け、点灯点滅表示部を当該用品の歩行用補助杖の先端側等任意の場所に配置する。電源スイッチ部の操作により発光素子に点灯点滅を行わせることにより、当該用品が使用中であることを、視覚により報知させるようにした携帯用日用品の歩行用補助杖。
【請求項３】
スイッチの切替え操作により、発光素子を点灯点滅させ表示を行わせる。この原理を利用したことを特徴とした、携帯用日用品のバッグ類と、カバン類と、小物入類と、及びランドセルであって、電源スイッチ部と、コントロール部と、電池部と、カバーケース部と、点灯点滅表示部とから構成されている。電源スイッチ部と、コントロール部と、電池部を当該用品のバッグ類と、カバン類と、小物入類と、及びランドセル内部に組込み、あるいはシート状とし取付け、点灯点滅表示部を当該用品の外周部等任意の場所に配置する。
電源スイッチ部の操作により、発光素子に点灯点滅を行わせ、当該用品が使用中であることを、視覚により報知させるようにした、携帯用日用品のバッグ類と、カバン類と、小物入類と、及びランドセル。
【請求項４】
必要に応じ付加する機能として、電源スイッチ部の操作による、点灯点滅表示部の動作に連動し、電池寿命が有る場合は一定時間動作した後に停止する方法で、また、電池寿命が近づいた場合には連続動作をする方法により、当該用品の機能動作状態を利用者に報知する。報知する方法としては、振動による触覚を利用する触覚官能報知部と、音響による聴覚を利用する聴覚官能報知部の両方、あるいは、触覚と聴覚のいずれかが付加されたことを特徴とする、請求項１記載の携帯用日用品の雨傘と、請求項２記載の携帯用日用品の歩行用補助杖と、及び請求項３記載の携帯用日用品のバッグ類と、カバン類と、小物入類と、及びランドセル。
【考案の詳細な説明】
【技術分野】
【０００１】本考案は、電子部品搭載のＰＷＢにより発光素子をコントロールし、点灯点滅を行なわせる。また、この機能を動作させる電源を搭載し、動作と停止をスイッチにより切替えるようにした。当該機能を雨傘と、歩行用補助杖と、バッグ類と、カバン類と、小物入類と、及びランドセルに組込みあるいは取付け、ファッション性を高め、更に当該用品の使用状態を任意に報知出来るようにした。なお、当該機能が正常状態、あるいは異常状態にあるかを利用者に報知する方法として、振動による触覚を利用する触覚官能報知部と、音響による聴覚を利用する聴覚官能報知部を、必要に応じ付加できるようにしてある。
【背景技術】
【０００２】携帯に便利で、且つ使用頻度の高い携帯用日用品の多くは、機能本位でありまた無機質で、ファッション性や遊び心を持った製品が少なく、夜間及び特に暗闇においてのファッション性や遊び心を持たせた物は皆無である。なお、交通事故等の災害から身を守る用具として、ガラスビーズを用いた反射シートがある。しかし、光が当らない位置では死角になり機能しない欠点がある。他に蓄光材料を用いたシートがあるが、暗闇の中で使用できる時間は１〜２時間と短く、また視認できる距離も１０ｍ位と極端に短い欠点がある。しかし、交通災害から事前に身を守ってくれる機能が付加された商品の提供は重要で、携帯に便利で、且つ頻度が高い日用品類への当該機能付加は特に渇望されている。
【考案の開示】
【考案が解決しようとする課題】
【０００３】携帯用日用品の多くは、機能本位でありまた無機質で、ファッション性や遊び心を持った製品が少なく、夜間及び特に暗闇においての、ファッション性や遊び心を持たせた物は皆無である。また、交通事故の災害から身を守る用具としての、従来の、ガラスビーズを用いた反射シートは、光が当らない位置では死角になり機能しないことと、及び蓄光材料を用いたシートは、使用時間が極端に短かく、また視認距離も短い等々と、報知させる機能としての欠点がある。
【課題を解決する為の手段】
【０００４】本考案は、上記の問題点を解決する為、反射シートと、あるいは蓄光材料シートによる報知方式を止め、電池搭載により電源供給を受ける発光素子の採用と、発光素子に点灯点滅を行わせて視認の容易性を利用する、視覚官能報知方式へ変更した。
更に、必要に応じ好みの発色、あるいは点灯点滅形態を容易に変えられるようにし、ファッション性や遊び心を持たせられるようにしてある。
【考案の効果】
【０００５】本考案は、発光素子採用により、特に暗闇においては５０ｍ以上の視認距離が得られ、また発光素子の複数個使用と、任意方向への配置により、広範囲から視認することが可能となり、視覚報知には充分な効果が得られ、交通災害から事前に身を守ってくれる報知方式としての機能を満足させることができる。また、発光素子の発色、及び点灯点滅形態を容易に変えられるようにした為、利用者の好みに応じるファッション性や遊び心を持たせることができる。なお、手動スイッチ式による点灯点滅切替え方式を採用し、照度に応じＯＮあるいはＯＦＦを任意に選択できるようにしてある。
【考案を実施するための最良の形態】
【０００６】次に、本考案の実施の形態について、添付図面を参照して、交通災害から事前に安全と、安心と、そして自然に身を守ってくれる点灯点滅表示機能付携帯用日用品を詳細に説明する。図１は、当該機能を付加した雨傘の全体平面図、図２は全体透視平面図、図３は鉄梁及び防雨布部を省略した一部破断を含む詳細図、図４は電気回路ブロック図、図５は歩行用補助杖の全体平面図、図６はランドセル全体平面図、図７はハンドバッグの全体平面図である。【０００７】電池部２は、コントロール部４と、点灯点滅表示部５と、振動報知部６と、音響報知部７の電源であり、ここでは乾電池を用いているが、乾電池に固守するものではなく、太陽電池等携帯用に適するものであればよい。【０００８】電源スイッチ部３は、外部より操作できるよう配置されており、コントロール部４と、点灯点滅表示部５と、必要に応じ付加する振動報知部６と、音響報知部７に電気を供給、あるいは停止ができ、当該機能を動作あるいは非動作を、使用者が任意に選択できるようになっている。【０００９】コントロール部４は、全ての機能を管理するために必要な電子回路がＰＷＢに組み込まれており、電源スイッチ部３に連動し、点灯点滅表示部５を動作させる機能を管理する。
また、必要に応じ付加する振動報知部６と、音響報知部７を管理する機能と、点灯点滅表示部５の点灯形態をコントロールするところで、時間的間隔等の調整を管理するところである。【００１０】点灯点滅表示部５は、ここでは高輝度発光ダイオードを使用しているが、暗闇の中で５０ｍ以上離れた所より、目視確認のできる照度を得られる点灯品であれば、形状や、発色に固守するものではない。【００１１】振動報知部６は、必要に応じて付加する機能であり、超小型偏芯モーターが使用されておりスイッチ部３のＯＮにより、一定時間動作した後に停止する方法で、また、電池寿命が近づいた場合には連続動作をする方法により、当該用品の機能動作状態を振動による触覚を利用して、特に利用者に対し触覚官能報知を行うところである。【００１２】音響報知部７は、必要に応じて付加する機能であり、超小型スピーカーが使用されており電源スイッチ部３のＯＮにより、一定時間動作した後に停止する方法で、また、電池寿命が近づいた場合には連続動作をする方法により、当該用品の機能動作状態を音響による聴覚を利用して、特に利用者に対し聴覚官能報知を行うところである。【００１３】カバーケース部８は、本体内部の保護と製品全体を体裁よく包含し、製品の安全と外観美を保持し商品価値、及びファッション性や遊び心を高めるためのものであり、形状、材質、色、仕上げ面等多岐にわたるものであって、ひとつの物に限定や固守するものではない。
【産業上の利用可能性】
【００１４】産業上の利用可能性は自明なため、省略致します。
【図面の簡単な説明】
【００１５】
【図１】本考案の、点灯点滅表示機能付雨傘の全体平面図である。
【図２】本考案の、点灯点滅表示機能付雨傘の全体透視平面図である。
【図３】本考案の、点灯点滅表示機能付雨傘の鉄梁部を省略し、一部破断を含む詳細図である。
【図４】本考案の、点灯点滅表示機能の電気回路ブロック図である。
【図５】本考案の、点灯点滅表示機能付歩行用補助杖の全体平面図である。
【図６】本考案の、点灯点滅表示機能付ランドセルの全体平面図である。
【図７】本考案の、点灯点滅表示機能付ハンドバッグの全体平面図である。
【符号の説明】
【００１６】    １．１１．２１．３１．      当該用品の点灯点滅表示機能付日用品
２．１２．２２．３２．      電池部
３．１３．２３．３３．      電源スイッチ部
４．１４．２４．３４．      コントロール部
５．１５．２５．３５．      点灯点滅表示部
６．１６．２６．３６．      振動報知部
７．１７．２７．３７．      音響報知部
８．１８．２８．３８．      カバーケース部
【図１】
0003106946.tif 000003
【図２】
0003106946.tif 000004
【図３】
0003106946.tif 000005
【図４】
0003106946.tif 000006
【図５】
0003106946.tif 000007
【図６】
0003106946.tif 000008
【図７】
0003106946.tif 000009
【手続補正書】
【提出日】平成16年8月23日(2004.8.23)
【手続補正１】
【補正対象書類名】実用新案登録請求の範囲
【補正対象項目名】全文
【補正方法】変更
【補正の内容】
【実用新案登録請求の範囲】
【請求項１】
スイッチの切替え操作により、発光素子に点灯点滅表示を行わせたことを特徴とする携帯用日用品であって、電源スイッチ部と、コントロール部と、電池部と、カバーケース部と、点灯点滅表示部とから構成されており、電源スイッチ部と、コントロール部と、電池部を当該用品の内部に組込み、あるいはシート状とし取付け、点灯点滅表示部は鉄梁の先端部、または露先部、あるいは防雨布部等任意の場所に取付け、電源スイッチ部の操作により発光素子に点灯点滅を行わせ、当該用品の使用状態を、視覚報知させるようにした携帯用日用品の雨傘。
【請求項２】
スイッチの切替え操作により、発光素子に点灯点滅表示を行わせたことを特徴とする携帯用日用品であって、電源スイッチ部と、コントロール部と、電池部と、カバーケース部と、点灯点滅表示部とから構成されており、電源スイッチ部と、コントロール部と、電池部を当該用品の内部に組込み、あるいはシート状とし取付け、点灯点滅表示部は当該用品の先端部任意の位置に取付け、電源スイッチ部の操作により発光素子に点灯点滅を行わせ、当該用品の使用状態を、視覚報知させるようにした携帯用日用品の歩行用補助杖。
【請求項３】
スイッチの切替え操作により、発光素子に点灯点滅表示を行わせたことを特徴とする携帯用日用品であって、電源スイッチ部と、コントロール部と、電池部と、カバーケース部と、点灯点滅表示部とから構成されており、電源スイッチ部と、コントロール部と、電池部を当該用品の内部に組込み、あるいはシート状とし取付け、点灯点滅表示部を当該用品の外周部任意の場所に取付け、電源スイッチ部の操作により発光素子に点灯点滅を行わせ、当該用品の使用状態を、視覚報知させるようにしたランドセルと、バッグ等を含む携帯用日用品の小物入れ。
【請求項４】
スイッチの切替え操作により、点灯点滅表示部の動作に連動し、電池寿命が有る場合と、電池寿命が近づいた場合を識別感知し、対応した信号として触覚官能用としての振動と、聴覚官能用としての音響により、利用者に報知する機能を付加した、請求項１記載の携帯用日用品の雨傘と請求項２記載の携帯用日用品の歩行用補助杖と、請求項３記載の携帯用日用品の小物入れ。